(57)【要約】【課題】一連の医用画像のうち最初に撮影された医用画像と最後に撮影された医用画像とを同一画面上で表示させる。【解決手段】検像装置３は、画像番号の情報が付帯された一連の医用画像と当該医用画像のサムネイル画像とを受信し、表示部３４に一連の医用画像に付帯されている画像番号順にサムネイル画像を表示する。制御部３１は、画像表示処理Ａ又は画像表示処理Ｂによって、一連の医用画像のうち画像番号が最も小さい医用画像に対応するサムネイル画像と画像番号が最も大きい医用画像に対応するサムネイル画像とを同一画面上において表示部３４に表示させる。【選択図】図５
2010178810.tif 000002
【特許請求の範囲】
【請求項１】
撮影順序を識別するための画像番号の情報が付帯された一連の医用画像と当該医用画像のサムネイル画像とを受信する医用画像表示装置であって、
前記一連の医用画像に付帯されている画像番号順に前記サムネイル画像を表示する表示手段と、
前記一連の医用画像のうち画像番号が最も小さい医用画像に対応するサムネイル画像と画像番号が最も大きい医用画像に対応するサムネイル画像とを同一画面上で前記表示手段に表示させる制御手段と、
を備えることを特徴とする医用画像表示装置。
【請求項２】
前記制御手段は、前記一連の医用画像のうち画像番号が最も小さい医用画像に対応するサムネイル画像の表示順を最初にし、画像番号が最も大きい医用画像に対応するサムネイル画像の表示順を最後にし、前記サムネイル画像を医用画像に付帯されている画像番号の昇順に並べて前記表示手段に表示させることを特徴とする請求項１に記載の医用画像表示装置。
【請求項３】
前記制御手段は、前記一連の医用画像のうち画像番号が最も大きい医用画像に対応するサムネイル画像の表示順を最初にし、画像番号が最も小さい医用画像に対応するサムネイル画像の表示順を最後にし、前記サムネイル画像を医用画像に付帯されている画像番号の降順に並べて前記表示手段に表示させることを特徴とする請求項１に記載の医用画像表示装置。
【請求項４】
前記制御手段は、前記医用画像表示装置が医用画像を受信するたびに、当該受信した医用画像の画像番号に基づいて前記表示手段に表示させるべきサムネイル画像を決定することを特徴とする請求項１〜３のいずれか一項に記載の医用画像表示装置。
【請求項５】
画像番号の情報が付帯された一連の医用画像と当該医用画像のサムネイル画像とを受信し、前記一連の医用画像に付帯されている画像番号順に前記サムネイル画像を表示する表示手段を備える医用画像表示装置の医用画像を表示する方法であって、
前記医用画像表示装置によって、前記一連の医用画像のうち画像番号が最も小さい医用画像に対応するサムネイル画像と画像番号が最も大きい医用画像に対応するサムネイル画像とを同一画面上で前記表示手段に表示させる制御工程を有することを特徴とする医用画像表示方法。
【請求項６】
画像番号の情報が付帯された一連の医用画像と当該医用画像のサムネイル画像とを受信するコンピュータを、
前記一連の医用画像に付帯されている画像番号順に前記サムネイル画像を表示する表示手段、
前記一連の医用画像のうち画像番号が最も小さい医用画像に対応するサムネイル画像と画像番号が最も大きい医用画像に対応するサムネイル画像とを同一画面上で前記表示手段に表示させる制御手段、
として機能させるためのプログラム。
【発明の詳細な説明】
【技術分野】
【０００１】
本発明は、医用画像表示装置、医用画像表示方法、及びプログラムに関するものである。
【背景技術】
【０００２】
医療の分野では、ＣＲ（Computed Radiography）装置やＣＴ（Computed Tomography）装置、ＭＲＩ（Magnetic Resonance Imaging）装置等の各種モダリティとＰＡＣＳ（Picture Archiving and Communication System）をネットワーク接続したシステムが用いられている。このシステムにおいては、モダリティによって撮影された医用画像のデータが記憶される。
【０００３】
システム内のＰＣ（Personal Computer）において、撮影技師は、一つの検査において最初に撮影された医用画像と最後に撮影された医用画像とを見比べて、医用画像が正常に撮影されたか否かを判断する。
【０００４】
特許文献１には、撮影順序と対応する撮影番号をメタデータとして記録させ、最後に撮影された医用画像である場合には最終画像フラグをセットし、撮影番号と最終画像フラグとに基づいて複数枚の断層画像の全てが揃ったか否かを判定する技術が開示されている。
【先行技術文献】
【特許文献】
【０００５】
【特許文献１】特開２００８−５４７１１号公報
【発明の概要】
【発明が解決しようとする課題】
【０００６】
しかしながら、特許文献１の技術では、医用画像が最後に撮影されたものであるか否かを判定することはできるが、一つの検査における一連の医用画像が数千枚に及ぶこともあり、モニタに表示された医用画像の中から最後の医用画像を探し出すためには、撮影技師は煩雑な操作を行う必要がある。
【０００７】
本発明は上記課題に鑑みてされたものであり、その目的とするところは、一連の医用画像のうち最初に撮影された医用画像と最後に撮影された医用画像とを同一画面上で表示させることである。
【課題を解決するための手段】
【０００８】
上記課題を解決するために、請求項１に記載の発明は、
撮影順序を識別するための画像番号の情報が付帯された一連の医用画像と当該医用画像のサムネイル画像とを受信する医用画像表示装置であって、
前記一連の医用画像に付帯されている画像番号順に前記サムネイル画像を表示する表示手段と、
前記一連の医用画像のうち画像番号が最も小さい医用画像に対応するサムネイル画像と画像番号が最も大きい医用画像に対応するサムネイル画像とを同一画面上で前記表示手段に表示させる制御手段と、
を備えることを特徴とする。
【０００９】
請求項２に記載の発明は、請求項１に記載の発明において、
前記制御手段は、前記一連の医用画像のうち画像番号が最も小さい医用画像に対応するサムネイル画像の表示順を最初にし、画像番号が最も大きい医用画像に対応するサムネイル画像の表示順を最後にし、前記サムネイル画像を医用画像に付帯されている画像番号の昇順に並べて前記表示手段に表示させることを特徴とする。
【００１０】
請求項３に記載の発明は、請求項１に記載の発明において、
前記制御手段は、前記一連の医用画像のうち画像番号が最も大きい医用画像に対応するサムネイル画像の表示順を最初にし、画像番号が最も小さい医用画像に対応するサムネイル画像の表示順を最後にし、前記サムネイル画像を医用画像に付帯されている画像番号の降順に並べて前記表示手段に表示させることを特徴とする。
【００１１】
請求項４に記載の発明は、請求項１〜３のいずれか一項に記載の発明において、
前記制御手段は、前記医用画像表示装置が医用画像を受信するたびに、当該受信した医用画像の画像番号に基づいて前記表示手段に表示させるべきサムネイル画像を決定することを特徴とする。
【００１２】
請求項５に記載の発明は、
画像番号の情報が付帯された一連の医用画像と当該医用画像のサムネイル画像とを受信し、前記一連の医用画像に付帯されている画像番号順に前記サムネイル画像を表示する表示手段を備える医用画像表示装置の医用画像を表示する方法であって、
前記医用画像表示装置によって、前記一連の医用画像のうち画像番号が最も小さい医用画像に対応するサムネイル画像と画像番号が最も大きい医用画像に対応するサムネイル画像とを同一画面上で前記表示手段に表示させる制御工程を有することを特徴とする。
【００１３】
請求項６に記載の発明は、
画像番号の情報が付帯された一連の医用画像と当該医用画像のサムネイル画像とを受信するコンピュータを、
前記一連の医用画像に付帯されている画像番号順に前記サムネイル画像を表示する表示手段、
前記一連の医用画像のうち画像番号が最も小さい医用画像に対応するサムネイル画像と画像番号が最も大きい医用画像に対応するサムネイル画像とを同一画面上で前記表示手段に表示させる制御手段、
として機能させる。
【発明の効果】
【００１４】
本発明によれば、一連の医用画像のうち最初に撮影された医用画像と最後に撮影された医用画像とを同一画面上で表示させることができる。
【図面の簡単な説明】
【００１５】
【図１】本実施の形態における医用画像システムの全体構成例を示す図である。
【図２】図１の検像装置の機能的構成を示す要部ブロック図である。
【図３】図２の表示部に表示される検像待ちリスト画面の一例を示す図である。
【図４】図２の表示部に表示されるシリーズ画像表示画面の一例を示す図である。
【図５】図２の制御部によって実行される画像表示処理Ａのフローチャートである。
【図６】図２の制御部によって実行される画像表示処理Ｂのフローチャートである。
【発明を実施するための形態】
【００１６】
まず、構成を説明する。
図１に、医用画像システム１００のシステム構成を示す。
医用画像システム１００は、図１に示すようにＲＩＳ１、画像生成装置２、検像装置３、ＰＡＣＳ４、制御装置５を備えて構成されている。各装置１〜５はネットワークＮを介して接続されている。
【００１７】
ＲＩＳ１は、放射線科内の情報を記憶（管理）する放射線科情報システムであり、オーダ情報を生成する。オーダ情報は、医師のオーダ情報の登録操作に応じて生成され、撮影すべき患者の患者情報、検査内容に関する検査情報等から構成されている。患者情報には、例えば患者の氏名、患者ＩＤ（個々の患者に付与されたＩＤ）、性別等の情報が含まれる。検査情報には、例えば検査ＩＤ（検査を個々に識別するめたに付与されるＩＤ）、撮影に用いるモダリティ（ＣＲ装置、ＣＴ装置等の名称）、撮影方法（単純撮影、拡大撮影等）、撮影部位（胸部、腹部等）、撮影方向（正面、斜位等）、撮影体位（立位、臥位等）等の情報が含まれる。
【００１８】
ＲＩＳ１は、必要な撮影単位でオーダ情報を生成する。例えば、同じＣＲ装置によって胸部正面と胸部側面と、撮影方向が異なる場合でもそれぞれ撮影を行うので２つのオーダ情報を生成する。一方、ＣＴ装置によって腹部のある範囲について断層画像を撮影する際には、複数枚の医用画像が生成されるが、撮影単位としては１撮影であるので、１つのオーダ情報のみを生成する。
このように生成したオーダ情報に、ＲＩＳ１はオーダＩＤ（個々のオーダ情報に付与されるＩＤ）を付して管理する。そして、これらオーダ情報を制御装置５に対して送信する。
【００１９】
画像生成装置２は、患者を撮影し、医用画像のデータを生成する。本実施形態では、ＣＴ装置、ＣＲ装置、ＭＲＩ装置の種類の各モダリティ２ａ〜２ｃを備えることとするが、内視鏡撮影装置、超音波撮影装置等、他の種類のモダリティを適用することも可能である。
【００２０】
画像生成装置２は、制御装置５から配信されるオーダ情報に従って、患者を撮影する。そして、生成した医用画像のデータに、オーダ情報に含まれる検査ＩＤ、患者ＩＤ等の患者情報、検査情報を付帯させた後、制御装置５に対して送信する。これらの情報の付帯は、医用画像のヘッダ領域に情報を書き込むこと等によりすることができる。なお、画像生成装置２は撮影の実施や医用画像の生成に関する情報を医用画像とともに制御装置５に対して送信する。
【００２１】
検像装置３は、本実施形態に係る医用画像表示装置であり、医用画像を表示させて検像操作を行うためのものである。検像操作とは、医用画像がオーダ情報に従って生成されているかどうかの確認操作、医用画像の画質操作、オーダ情報の修正操作等をいう。
【００２２】
ＰＡＣＳ４は、検像装置３において検像操作が行われた医用画像のデータを保存する画像サーバの他、医師が当該保存された医用画像を読影するための端末装置等を含んで構成されている。端末装置から読影の要求情報を受信すると、画像サーバが保存している医用画像を端末装置に配信する。端末装置が配信された医用画像を表示することにより、医師が読影を行うことが可能となる。
【００２３】
制御装置５は、オーダ情報の流れや医用画像の撮影等を統括的に制御するものである。
制御装置５は、ＲＩＳ１から配信されたオーダ情報を、そのオーダ情報によって指定されている画像生成装置２に配信するとともに、検像装置３に送信する。一方、画像生成装置２から医用画像のデータを受信すると、当該医用画像に対応するオーダ情報に含まれる患者情報及び検査情報に加えて、シリーズ情報、画像詳細情報、画像番号等を生成して付帯させる。シリーズ情報とは、互いに関連する医用画像を一連のシリーズに属するものとして取り扱う場合に、その医用画像が属するシリーズに関する情報をいう。例えば、ＣＴ装置では胸部から腹部にかけて等、ある範囲にわたる断層を撮影するため、１回の撮影で１００枚〜数千枚単位の複数の医用画像（断層画像）を生成することとなる。このような場合、同一撮影で得られた各断層画像を１つのシリーズに属するものとして取り扱う。
【００２４】
制御装置５は、そのシリーズにおける検査部位等の情報をシリーズ情報として生成する。そして、各シリーズに対してシリーズ番号を付し、同一シリーズに属する全ての医用画像に同一のシリーズ情報を付帯させる。なお、シリーズ情報の生成に必要な情報は画像生成装置２から取得する。
【００２５】
また、制御装置５はオーダ情報単位又はシリーズ単位で医用画像に画像番号を付す。画像番号は、医用画像の生成順を示す番号である。例えば、ＣＲ装置で胸部正面を２枚撮影するオーダ情報であった場合、生成された２枚の医用画像について画像番号はそれぞれ生成順に「１」、「２」と付す。また、胸部正面を１枚、胸部側面を１枚撮影する２つのオーダ情報があった場合には、それぞれ画像番号は「１」となる。一方、シリーズに属する医用画像についてはそのシリーズ内で生成した順に画像番号を付す。
【００２６】
次に、検像装置３の詳細について説明する。
検像装置３は、図２に示すように、制御部３１、ＲＡＭ（Random Access Memory）３２、操作部３３、表示部３４、通信部３５、記憶部３６、画像メモリ３７等を備えて構成されている。
【００２７】
制御部３１は、ＣＰＵ（Central Processing Unit）等から構成されている。制御部３１は、記憶部３６から制御プログラムを読み出し、当該制御プログラムとの協働により各種演算を行い、検像装置３の各部動作を集中制御する。
【００２８】
ＲＡＭ３２は、制御部３１により実行制御される各種処理において、記憶部３６から読み出された各種プログラム、入力若しくは出力データ、及びパラメータ等を一時的に記憶するワークエリアとして機能する。
【００２９】
操作部３３は、キーボード、マウス等を備え、これらの操作に応じた操作信号を生成して制御部３１に対して出力する。
【００３０】
表示部３４は、ＬＣＤ（Liquid Crystal Display）等を備え、制御部３１の表示制御に従って、各種操作画面や、検像操作を行うための検像待ちリスト画面３４１等の表示を行う。
【００３１】
図３に、表示部３４に表示される検像待ちリスト画面３４１の一例を示す。図３に示すように、検像待ちリスト画面３４１は、制御部３１は検像処理がなされていない医用画像のオーダ情報の一覧を表示するリスト領域３４１ａ、リスト領域３４１ａにおいて選択されたオーダ情報に対応する（つまり、オーダ情報に基づいて撮影された）医用画像のサムネイル画像を表示するサムネイル領域３４１ｂ、一連の医用画像の最終画像のサムネイル画像を表示する最終画像領域３４１ｃ等から構成される。
【００３２】
リスト領域３４１ａは、図３に示すように制御装置５から受信されたオーダ情報に基づいて取得された医用画像に関する情報を表示させるための領域である。例えば、オーダ情報の受信日時、検査ＩＤ、患者ＩＤ、患者氏名、医用画像の整合性のチェックをしたか否かを示す検像状況、撮影方法、撮影部位、撮影方向等の情報がリスト領域３４１ａに表示される。
なお、他の方法によって検像状況をリスト領域３４１ａにおいて表示させることとしてもよい。例えば、整合性がとれていないと判断されたオーダ情報についてはリスト領域３４１ａにおいて当該オーダ情報に赤色を付す等する。このように整合性がとれている他のオーダ情報と識別可能に表示することにより、検像者は容易に整合性がとれていないと判断されたオーダ情報を判別することができる。
【００３３】
サムネイル領域３４１ｂは、制御部３１は医用画像に付帯されている画像番号の順にリスト領域３４１ａに表示されたオーダ情報のうち、操作部３３によって選択されたオーダ情報に含まれるサムネイル画像ｇを並べて表示させるためのものである。画像番号は画像生成装置２において生成された順に発行されているので、サムネイル画像ｇの並び順は医用画像の生成順と一致することとなる。サムネイル画像ｇは、検像者による医用画像の確認及び医用画像の並び順（画像番号の昇順又は降順）の変更操作に使用される。
【００３４】
最終画像領域３４１ｃは、サムネイル領域３４１ｂに表示された検査オーダに含まれる医用画像のうち最終画像のサムネイル画像を表示するための領域である。最終画像とは、オーダ情報に含まれる一連の医用画像のうち、画像番号が最も小さい又は大きい医用画像である。画像番号を昇順にソートして表示させている場合には、画像番号が最も大きい医用画像が最終画像となり、画像番号を降順にソートして表示させている場合には、画像番号が最も小さい医用画像が最終画像となる。
【００３５】
図４に、シリーズ画像表示画面３４２の一例を示す。シリーズ画像表示画面３４２は、リスト領域３４１ａを操作部３３のマウスでダブルクリック等を行うと表示され、オーダ情報に対応する医用画像を表示するためのものである。
図４に示すように、シリーズ画像表示画面３４２は、オーダ情報によって撮影された医用画像のうち各シリーズに含まれるサムネイル画像を表示するためのシリーズ領域３４２ａ〜３４２ｅ（以下、これらを総じて単にシリーズ領域という）、シリーズ内の最終画像を表示するためのシリーズ最終画像領域３４２ｆ〜３４２ｊ（以下、これらを総じて単にシリーズ最終画像領域という）、シリーズに含まれる医用画像を分離するための分離ボタン３４２ｋ、一度分離した医用画像を再度結合させるための結合ボタン３４２ｌ、シリーズ領域３４２ａ〜３４２ｅに表示される医用画像のソート順を指示するためのソートボタン３４２ｍ等から構成される。
【００３６】
図４に示す例では、オーダ情報に対応する医用画像は画像番号が「０」〜「２９９」の３００枚の医用画像がある。このオーダ情報に対応する医用画像は３つのシリーズがある。具体的には、画像番号が「０」〜「１００」の医用画像からなるシリーズ、画像番号が「１０１」〜「２００」の医用画像からなるシリーズ、及び画像番号が「２０１」〜「２９９」の医用画像からなるシリーズである。
【００３７】
操作部３３からの入力によって、シリーズ領域３４２ａ〜３４２ｅに表示された各シリーズのサムネイル画像が選択され、分離ボタン３４２ｋが押下されると、この選択されたサムネイル画像に対応する医用画像が分離されて表示される。例えば、図４に示す例では、シリーズ領域３４２ａには画像番号が「０」〜「１００」の医用画像が表示されているが、画像番号が「５０」〜「１００」の医用画像を選択して、分離ボタン３４２ｋが押下されると、この「５０」〜「１００」の医用画像が別のシリーズとしてシリーズ領域３４２ｄに表示される等である。
【００３８】
同様に、操作部３３からの入力によって、シリーズ領域３４２ａ〜３４２ｅに表示された各シリーズのサムネイル画像が選択され、結合ボタン３４２ｌが押下されると、この選択されたサムネイル画像に対応する医用画像が結合されて表示される。例えば、図４に示す例では、シリーズ領域３４２ａに表示された画像番号「０」〜「１００」の医用画像と、シリーズ領域３４２ｂに表示された画像番号「１０１」〜「２００」の医用画像とを選択して結合ボタン３４２ｌが押下されると、これらが結合され、画像番号「０」〜「２００」の医用画像がシリーズ領域３４２ａに表示される等である。
【００３９】
通信部３５は、ネットワークインターフェイスカード等の通信用インターフェイスを備え、制御部３１の通信制御に従って、ネットワークＮ上の外部装置と通信を行う。
【００４０】
記憶部３６は、ハードディスクや半導体メモリ等の記録媒体から構成されている。
記憶部３６には、制御部３１が実行する制御プログラム等の各種プログラムの他、プログラムの実行に必要なデータ等が記憶されている。
【００４１】
画像メモリ３７は、ハードディスクや半導体メモリ等の記録媒体から構成されている。
画像メモリ３７には、画像生成装置２において生成された医用画像のデータが記憶されている。医用画像は、検像操作がまだ行われていない検像待ちのものと、検像操作が行われた検像済みのものに分けて記憶されている。
【００４２】
次に動作について説明する。
図５に、受信途中の検査オーダに関する検像待ちリスト画面３４１が表示部３４に表示されている際に、制御部３１によって実行される画像表示処理Ａのフローチャートを示す。受信途中の検査オーダとは、検査オーダに基づいて撮影されるべき医用画像を、制御装置５が全て受信していない検査オーダのことをいう。画像表示処理Ａは、制御部３１と記憶部３６に記憶されたプログラムとの協働により実行される。
【００４３】
まず、図５に示すように、制御装置５からの医用画像の受信処理が実行される（ステップＳ１０１）。次いで、検査オーダに対応する医用画像のうち１枚目の医用画像を受信したか否かが判断される（ステップＳ１０２）。
【００４４】
１枚目の医用画像を受信したと判断されない場合（ステップＳ１０２；ＮＯ）、１枚目の医用画像の受信待ちがタイムアウトしたか否かが判断される（ステップＳ１０３）。具体的には、記憶部３６に予め定められた一定時間の間、検像装置３が検査オーダに対応する医用画像を受信したか否かによって判断される。以降においても同様とする。
【００４５】
タイムアウトしたと判断されない場合（ステップＳ１０３；ＮＯ）、処理はステップＳ１０２に戻り、再度１枚目の医用画像を受信したか否かが判断される。
タイムアウトしたと判断された場合（ステップＳ１０３；ＹＥＳ）、処理は終了する。
【００４６】
１枚目の医用画像を受信したと判断された場合（ステップＳ１０２；ＹＥＳ）、サムネイル領域３４１ｂに受信した１枚目の医用画像に対応するサムネイル画像をサムネイル領域３４１ｂに表示させる（ステップＳ１０４）。
同じ検査オーダに対応する医用画像のうち２枚目の医用画像を受信したか否かが判断される（ステップＳ１０５）。
【００４７】
２枚目の医用画像を受信したと判断されない場合（ステップＳ１０５；ＮＯ）、２枚目の医用画像の受信待ちがタイムアウトしたか否かが判断される（ステップＳ１０６）。
タイムアウトしたと判断されない場合（ステップＳ１０６；ＮＯ）、処理はステップＳ１０５に戻り、再度２枚目の医用画像を受信したか否かが判断される。
【００４８】
２枚目の医用画像を受信したと判断された場合（ステップＳ１０５；ＹＥＳ）、サムネイル領域３４１ｂに１枚目と２枚目の医用画像に対応するサムネイル画像をサムネイル領域３４１ｂにそれぞれ表示させる（ステップＳ１０７）。
【００４９】
カウンタ変数ｎに３が代入される（ステップＳ１０８）。同じ検査オーダに対応するｎ枚目の医用画像が受信されたか否かが判断される（ステップＳ１０９）。ｎ枚目の医用画像を受信したと判断された場合（ステップＳ１０９；ＹＥＳ）、１枚目〜ｎ−１枚目のサムネイル画像がサムネイル領域３４１ｂに表示され（ステップＳ１１０）、ｎ枚目の医用画像に対応するサムネイル画像が最終画像領域３４１に表示される（ステップＳ１１１）。
【００５０】
次いで、カウンタ変数ｎが１加算され（ステップＳ１１２）、処理はステップＳ１０９に戻り、ｎ枚目の医用画像が受信されたか否かが判断される（ステップＳ１０９）。
ｎ枚目の医用画像を受信したと判断されない場合（ステップＳ１０９；ＮＯ）、ｎ枚目の医用画像の受信待ちがタイムアウトしたか否かが判断される（ステップＳ１１３）。
【００５１】
図６に、受信が完了した検査オーダに関してシリーズ画像表示画面３４２が表示されている際に、制御部３１によって実行される画像表示処理Ａのフローチャートを示す。画像表示処理Ａは、制御部３１と記憶部３６に記憶されたプログラムとの協働により実行される。
【００５２】
まず、図６に示すように、カウンタ変数ｎに０が代入される（ステップＳ２０１）。次いで、分割されているシリーズの数がカウントされ変数Ｘに代入される（ステップＳ２０２）。分割されているシリーズの数とは、シリーズ画像表示画面３４２に表示されているシリーズ領域３４２ａ〜３４２ｅのうち医用画像が表示されているシリーズ領域の数であり、検査オーダに含まれるシリーズの数のことである。Ｘ−ｎ番目のシリーズについて、変数ｐに先頭の画像番号が、変数ｑに最後（末尾）の画像番号がセットされる（ステップＳ２０３）。
【００５３】
次いで、表示のソート順が昇順であるか降順であるかが判断される（ステップＳ２０４）。昇順であると判断された場合（ステップＳ２０４；昇順）、シリーズ領域にｐ番目からｑ−１番目、シリーズ最終画像領域にｑ番目の医用画像がシリーズ画像表示画面３４２のｎ＋１段目に表示される（ステップＳ２０５）。
【００５４】
降順であると判断された場合（ステップＳ２０４；降順）、シリーズ領域にｑ番目からｐ＋１番目、シリーズ最終画像領域にｐ番目の医用画像がシリーズ画像表示画面３４２のｎ＋１段目に表示される（ステップＳ２０６）。
【００５５】
次いで、カウンタ変数ｎが１加算され（ステップＳ２０７）、変数Ｘとカウンタ変数ｎが一致するか否かが判断される（ステップＳ２０８）。
一致すると判断されない場合（ステップＳ２０８；ＮＯ）、処理はステップＳ２０３に戻り、再度画像番号がセットされる。
一致すると判断された場合（ステップＳ２０８；ＹＥＳ）、処理は終了する。
【００５６】
以上のように、本実施の形態における検像装置３によれば、画像表示処理Ａによって検像待ちリスト画面３４１に画像番号が最初の医用画像と最後の医用画像のそれぞれに対応するサムネイル画像を表示させることができ、最終画像をいちいち探す手間が省けるため検像の効率が向上する。同様に、画像表示処理Ｂによってシリーズ画像表示画面３４２に検査オーダによって撮影された各シリーズのうち画像番号が最初の医用画像と最後の医用画像のそれぞれに対応するサムネイル画像を表示させることができ、最終画像をいちいち探す手間が省ける。
【００５７】
また、画像表示処理Ａのように、検像装置３が医用画像を受信するたびに同一シリーズの最終画像が入れ替わるので、受信した都度表示を変更させることができる。
【００５８】
また、シリーズ画像表示画面３４２において、シリーズの分離や結合、ソート順を変更した際においても、同一シリーズ内で画像番号が最初の医用画像と最後の医用画像のそれぞれに対応するサムネイル画像を表示させることができる。
【００５９】
なお、上述した本実施の形態における記述は、本発明に係る好適な医用画像表示装置の一例であり、これに限定されるものではない。
例えば、本実施の形態においては、画像表示処理Ａによって検像待ちリスト画面３４１にサムネイル画像を表示させるようにしたが、同様の処理によってシリーズ画像表示画面３４２にサムネイル画像を表示させるようにしてもよい。つまり、検像装置３が検査オーダに対応する医用画像を受信するたびに、この受信した医用画像に対応するサムネイル画像をシリーズ画像表示画面３４２に表示させるようにしてもよい。同様に、画像表示処理Ｂと同様の処理、つまり検査オーダに対応する医用画像を全て検像装置３が受信した後に検像待ちリスト画面３４１にサムネイル画像を表示させるようにしてもよい。
【００６０】
また、本発明に係る医用画像表示装置を検像装置３に適用して説明したが、画像表示処理Ａと画像表示処理Ｂによって一連の医用画像のうち、画像番号が最初の医用画像に対応するサムネイル画像と画像番号が最後の医用画像に対応するサムネイル画像とを同一画面上で表示できればよく、ＰＡＣＳ４やネットワークＮに接続された読影用のＰＣにおいて同様の処理が実行され、これらのモニタに医用画像が表示されるようにしてもよい。
【００６１】
また、上記の説明では、本発明に係るプログラムのコンピュータ読み取り可能な媒体としてハードディスクや半導体の不揮発性メモリ等を使用した例を開示したが、この例に限定されない。その他のコンピュータ読み取り可能な媒体として、ＣＤ−ＲＯＭ等の可搬型記録媒体を適用することが可能である。また、本発明に係るプログラムのデータを通信回線を介して提供する媒体として、キャリアウエーブ（搬送波）も適用される。
【００６２】
その他、医用画像表示装置を構成する各装置の細部構成及び細部動作に関しても、本発明の趣旨を逸脱することのない範囲で適宜変更可能である。
【符号の説明】
【００６３】
１００  医用画像システム
１  ＲＩＳ
２  画像生成装置
２ａ  モダリティ
２ｂ  モダリティ
２ｃ  モダリティ
３  検像装置
３１  制御部
３２  ＲＡＭ
３３  操作部
３４  表示部
３４１  検像待ちリスト画面
３４２  シリーズ画像表示画面
３５  通信部
３６  記憶部
３７  画像メモリ
４  ＰＡＣＳ
５  制御装置
【図１】
2010178810.tif 000003
【図２】
2010178810.tif 000004
【図５】
2010178810.tif 000005
【図６】
2010178810.tif 000006
【図３】
2010178810.tif 000007
【図４】
2010178810.tif 000008